(57)【要約】【課題】本体およびアダプタの構成を簡素化しつつ、本体とアダプタとを適正な位置関係に簡単に連結することができ、作業性を改善できる送風装置を得ることにある。【解決手段】送風装置は、天井の開口部の縁から天井裏に向けて起立されたアダプタと、天井裏でアダプタに連結されるとともに、アダプタと向かい合う周面に天井裏のダクトに連通する通気孔が開口された中空の本体と、を備えている。本体は、本体の上面の端部から上向きに突出する本体爪と、本体の下端に形成された第１の挿入孔と、を有する。アダプタは、本体爪が挿入される第２の挿入孔と、アダプタの下端から下向きに突出されて第１の挿入孔に挿入されるアダプタ爪と、を有する。アダプタ爪は、第１の挿入孔に挿入された状態で上向きに折り返すことで本体に係合されるとともに、アダプタ爪が人為的に折り曲げ可能な形状を有する。【選択図】図２
2018204822.tif 000002
【特許請求の範囲】
【請求項１】
天井に開口された開口部の縁から天井裏に向けて起立されるとともに、前記天井裏に配管されたダクトが接続される金属製のアダプタと、
前記天井の下方から前記開口部に挿入され、前記天井裏で前記アダプタに連結されるとともに、前記アダプタと向かい合う周面に前記ダクトに連通する通気孔が開口された中空の本体と、
前記本体に収容されたファンユニットと、を具備し、
前記本体は、
前記通気孔の上方に位置された前記本体の上面の端部から上向きに突出する本体爪と、
前記本体の下端部に形成された第１の挿入孔と、を有し、
前記アダプタは、
前記本体爪が挿入される第２の挿入孔と、
前記アダプタの下端から下向きに突出されるとともに、前記第１の挿入孔に挿入されるアダプタ爪と、を有し、前記アダプタ爪は、前記第１の挿入孔に挿入された状態で上向きに折り返すことで前記本体に係合されるとともに、当該アダプタ爪が人為的に折り曲げ可能な形状を有する送風装置。
【請求項２】
前記通気孔が開口された前記本体の前記周面は、前記アダプタに沿うように起立された面であり、前記アダプタの前記アダプタ爪が前記本体の前記第１の挿入孔に挿入される段階では、前記アダプタ爪は、前記本体の前記周面に面するような向きで前記アダプタの前記下端から突出された請求項１に記載の送風装置。
【請求項３】
前記アダプタの前記下端は、横方向に延びているとともに、前記アダプタ爪は、前記アダプタの前記下端に沿って横方向に延びる折り曲げ予定線を有する請求項１又は請求項２に記載の送風装置。
【請求項４】
前記アダプタ爪は、前記本体の前記第１の挿入孔に挿入される段階では、下方に進むに従い前記本体の前記周面に近づく方向に傾斜された請求項１又は請求項２に記載の送風装置。
【請求項５】
前記本体は、前記アダプタを下方から受け止めるように前記本体の下端から前記本体の外側に向けて張り出すアダプタ受け部を有し、前記本体の前記下端と前記アダプタ受け部とで規定される角部に前記第１の挿入孔が形成されているとともに、前記アダプタ爪を上向きに折り返した状態では、前記アダプタ爪が前記アダプタ受け部に係合される請求項１ないし請求項４のいずれか一項に記載の送風装置。
【請求項６】
前記本体爪は、前記本体の前記上面の上で前記本体の前記周面と交差する方向に沿って起立された請求項２に記載の送風装置。
【請求項７】
前記アダプタの前記第２の挿入孔は、前記本体の前記周面と交差する方向に延びる細長い開口形状を有する請求項６に記載の送風装置。
【請求項８】
前記本体爪は、前記本体の上方に進むに従い前記本体の前記周面と交差する方向の寸法が減少する先細り状に形成された請求項６又は請求項７に記載の送風装置。
【請求項９】
前記本体は、前記本体爪と前記第１の挿入孔との間の中間部に係合孔を有し、
前記アダプタは、前記第２の挿入孔と前記アダプタ爪との間の中間部に前記係合孔に係合可能な係合爪を有し、
前記係合爪が前記係合孔に係合された状態では、前記本体爪と前記アダプタの前記第２の挿入孔とが互いに合致する請求項１ないし請求項８のいずれか一項に記載の送風装置。
【請求項１０】
天井に開口された開口部の一つの縁から天井裏に向けて起立されるとともに、前記天井裏に配管された排気ダクトが接続される金属製の排気アダプタと、
前記天井の前記開口部の他の縁から前記天井裏に向けて起立されるとともに、前記天井裏に配管された少なくとも一つの吸気ダクトが接続される少なくとも一つの金属製の吸気アダプタと、
前記天井の下方から前記開口部に挿入され、前記天井裏で前記排気アダプタおよび前記吸気アダプタに連結されるとともに、前記排気アダプタと向かい合う排気孔および前記吸気アダプタと向かい合う少なくとも一つの吸気孔が開口された中空の本体と、
前記本体に収容され、前記本体の上面の中央部から突出された電装ボックスを有するファンユニットと、を具備し、
前記本体は、
前記排気アダプタに対応する位置で前記本体の上面から上向きに突出する本体爪と、前記吸気アダプタに対応する位置で前記本体の前記上面から上向きに突出する他の本体爪と、前記排気アダプタに対応する前記本体の下端部および前記吸気アダプタに対応する前記本体の下端部に夫々形成された第１の挿入孔と、を有し、
前記排気アダプタは、前記本体爪が挿入される第２の挿入孔と、前記排気アダプタの下端から下向きに突出され、前記排気アダプタに対応する前記第１の挿入孔に挿入された状態で上向きに折り返すことで前記本体に係合されるとともに、人為的に折り曲げ可能な形状を有するアダプタ爪と、を有し、
前記吸気アダプタは、前記他の本体爪が挿入される第３の挿入孔と、前記吸気アダプタの下端から下向きに突出され、前記吸気アダプタに対応する前記第１の挿入孔に挿入された状態で上向きに折り返すことで前記本体に係合されるとともに、人為的に折り曲げ可能な形状を有する他のアダプタ爪と、を有し、
前記本体爪および前記他の本体爪は、前記電装ボックスの周囲において前記排気孔および前記吸気孔が開口された前記本体の周面と交差する方向に延びているとともに、前記本体爪の長さ寸法よりも前記他の本体爪の長さ寸法が短く設定され、前記他の本体爪と前記電装ボックスとの間に生じたスペースを通じて前記電装ボックスに接続されたケーブルが引き回された送風装置。
【発明の詳細な説明】
【技術分野】
【０００１】
本発明の実施形態は、例えばダクト用換気扇として用いられる送風装置に関する。
【背景技術】
【０００２】
天井裏に配管されたダクトを通じて換気するダクト用換気扇は、ダクトが接続されるアダプタと、ファンユニットが収容された箱状の本体と、を主要な要素として備えている。
【０００３】
アダプタは、天井に開口された換気口の縁から天井裏に向けて起立されている。アダプタは、天井裏に位置するダクト接続口を有し、当該ダクト接続口に天井裏のダクトが接続されている。
【０００４】
本体は、アダプタと向かい合うように起立した周面を有し、当該周面に排気孔が形成されている。さらに、本体は、天井の下方から換気口に挿入されるとともに、天井裏でアダプタに連結される。これにより、本体の排気孔がアダプタのダクト接続口に連通するように、本体とアダプタとが天井裏で仮固定されるようになっている。
【先行技術文献】
【特許文献】
【０００５】
【特許文献１】特開平８−２７１００６号公報
【特許文献２】特開２０１２−２３３６４８号公報
【発明の概要】
【発明が解決しようとする課題】
【０００６】
従来のダクト用換気扇では、本体を天井の下方から換気口から挿入した時に、本体とアダプタとが適正な位置を保った状態で仮固定されるように、本体およびアダプタに数多くの係合箇所を設ける必要がある。
【０００７】
このため、本体およびアダプタの構成が複雑化するのは勿論のこと、係合箇所が増える分だけ本体とアダプタとの仮固定時に多大な手間と労力を要するのを避けられない。したがって、仮固定時の作業性およびコスト的な面で改善の余地が残されている。
【０００８】
本発明の目的は、本体およびアダプタの構成を簡素化しつつ、本体とアダプタとを適正な位置関係に簡単に連結することができ、施工時の作業性を改善できる送風装置を得ることにある。
【課題を解決するための手段】
【０００９】
実施形態によれば、送風装置は、天井に開口された開口部の縁から天井裏に向けて起立されるとともに、前記天井裏に配管されたダクトが接続される金属製のアダプタと、前記天井の下方から前記開口部に挿入され、前記天井裏で前記アダプタに連結されるとともに、前記アダプタと向かい合う周面に前記ダクトに連通する通気孔が開口された中空の本体と、前記本体に収容されたファンユニットと、を備えている。  
前記本体は、前記通気孔の上方に位置された前記本体の上面の端部から上向きに突出する本体爪と、前記本体の下端に形成された第１の挿入孔と、を有する。  
前記アダプタは、前記本体爪が挿入される第２の挿入孔と、前記アダプタの下端から下向きに突出されるとともに、前記第１の挿入孔に挿入されるアダプタ爪と、を有する。前記アダプタ爪は、前記第１の挿入孔に挿入された状態で上向きに折り返すことで前記本体に係合されるとともに、当該アダプタ爪が人為的に折り曲げ可能な形状を有している。
【図面の簡単な説明】
【００１０】
【図１】第１の実施形態に係るダクト用換気扇を天井裏に据え付けた状態を示す断面図である。
【図２】本体の第１の挿入孔に排気アダプタのアダプタ爪を挿入した状態を示すダクト用換気扇の斜視図である。
【図３】図２のＦ３の箇所を拡大して示す斜視図である。
【図４】排気アダプタと本体との位置関係を示すダクト用換気扇の斜視図である。
【図５】本体爪と第２の挿入孔との位置関係を示すダクト用換気扇の斜視図である。
【図６】第１の実施形態で用いる排気アダプタの斜視図である。
【図７】第１の挿入孔にアダプタ爪を挿入した状態を示す断面図である。
【図８】第１の挿入孔に挿入したアダプタ爪を下部フランジに向けて折り返した状態を示す断面図である。
【図９】第２の実施形態に係るダクト用換気扇の斜視図である。
【図１０】第３の実施形態に係るダクト用換気扇の斜視図である。
【図１１】第３の実施形態に係るダクト用換気扇を図１０とは異なる方向から見た斜視図である。
【図１２】第４の実施形態に係るダクト用換気扇の斜視図である。
【発明を実施するための形態】
【００１１】
［第１の実施形態］
以下、第１の実施形態について、図１ないし図８を参照して説明する。
【００１２】
図１は、例えば浴室の天井にダクト用換気扇を据え付けた状態を示す断面図、図２は、ダクト用換気扇の全体の形状を示す斜視図である。
【００１３】
図１に示すように、送風装置の一例であるダクト用換気扇１は、例えば浴室２の天井３に据え付けられている。天井３を構成する天井材４は、複数の野縁５で支えられているとともに、開口部としての換気口６を有している。換気口６は、例えば四角い開口形状を有するとともに、隣り合う野縁５の間で浴室２に開口されている。
【００１４】
図１ないし図５に示すように、ダクト用換気扇１は、排気アダプタ８、本体９、ファンユニット１０および本体カバー１１を主要な要素として備えている。排気アダプタ８は、天井裏１２に配管された排気ダクト１３が接続される要素であって、ベース１４と、筒状のダクト接続口１５と、有している。
【００１５】
ベース１４は、例えば板金プレス加工が可能な鋼板で構成され、換気口６の一つの開口縁から天井裏１２に向けて起立されている。ベース１４の中央部には、連通口１６が形成されている。ダクト接続口１５は、連通口１６を囲むようにベース１４の前面から突出されている。天井裏１２の排気ダクト１３は、ダクト接続口１５に接続されている。
【００１６】
図４ないし図６に示すように、ベース１４は、横向きに水平に延びた上縁および下縁と、鉛直方向に延びた右側縁および左側縁を有する四角い板状に形成されている。ベース１４は、第１ないし第４のフランジ部１８ａ，１８ｂ，１８ｃ，１８ｄを備えている。
【００１７】
第１のフランジ部１８ａは、ベース１４の上縁からダクト接続口１５とは反対側に向けて直角に折り返されている。第１のフランジ部１８ａは、ベース１４の上縁の全長に亘っている。第２のフランジ部１８ｂは、ベース１４の下縁からダクト接続口１５の突出方向に沿うように直角に折り返されている。第２のフランジ部１８ｂは、ベース１４の下縁の中央部に位置されている。第３のフランジ部１８ｃは、ベース１４の右側縁からダクト接続口１５とは反対側に向けて直角に折り返されている。第４のフランジ部１８ｄは、ベース１４の左側縁からダクト接続口１５とは反対側に向けて直角に折り返されている。
【００１８】
第３のフランジ部１８ｃおよび第４のフランジ部１８ｄは、夫々ベース１４の右側縁および左側縁の全長に亘っているとともに、互いに間隔を存して向かい合うように平行に配置されている。
【００１９】
さらに、図５および図６に示すように、連通口１６の上部は、ベース１４の中央部を切り起こすことで構成されている。ベース１４から切り起こされた片部１９は、連通口１６の上縁からダクト接続口１５とは反対側に向けて張り出しているとともに、第３のフランジ部１８ｃおよび第４のフランジ部１８ｄの間で横方向に水平に延びている。
【００２０】
本体９は、天井３の下方から換気口６に挿入可能な大きさを有し、天井裏１２で排気アダプタ８に連結されるようになっている。具体的に述べると、図２、図４および図５に示すように、本体９は、枠体２１と天板２２とで構成されている。枠体２１は、四角い箱形の要素であって、起立された第１ないし第４の側板２１ａ，２１ｂ，２１ｃ，２１ｄを有している。第１ないし第４の側板２１ａ，２１ｂ，２１ｃ，２１ｄは、夫々本体９の周面を構成する四角い板であり、第１の側板２１ａが排気アダプタ８のベース１４と向かい合うようになっている。
【００２１】
第１ないし第４の側板２１ａ，２１ｂ，２１ｃ，２１ｄは、夫々横方向に水平に延びた上縁および下縁と、鉛直方向に延びた一対の側縁と、を有している。第１ないし第４の側板２１ａ，２１ｂ，２１ｃ，２１ｄは、夫々上部フランジ２３および下部フランジ２４を備えている。
【００２２】
上部フランジ２３は、第１ないし第４の側板２１ａ，２１ｂ，２１ｃ，２１ｄの上縁から枠体２１の内側に向けて直角に折り返されている。枠体２１の周方向に隣り合う上部フランジ２３の端縁は、互いに突き合わされている。下部フランジ２４は、第１ないし第４の側板２１ａ，２１ｂ，２１ｃ，２１ｄの下縁から枠体２１の外側に向けて直角に折り返されている。
【００２３】
ベース１４と向かい合う第１の側板２１ａには、排気孔２６が形成されている。排気孔２６は、通気孔の一例であって、ベース１４の連通口１６を通じてダクト接続口１５に連通されるようになっている。
【００２４】
第１の側板２１ａの上端に位置する上部フランジ２３は、排気アダプタ８の片部１９の下面に重なり合う。さらに、第１の側板２１ａの下端に位置する下部フランジ２４は、排気アダプタ８のベース１４を受け止めるアダプタ受け部としての機能を兼ねている。そのため、ベース１４の下端に位置された第２のフランジ部１８ｂは、下部フランジ部２４の上に重なり合う。
【００２５】
本実施形態では、枠体２１の第１の側板２１ａの外周部にシール材２７が取り付けられている。シール材２７は、排気孔２６および連通口１６を取り囲むように第１の側板２１ａとベース１４との間に介在される。
【００２６】
本体９の天板２２は、第１ないし第４の側板２１ａ，２１ｂ，２１ｃ，２１ｄが有する四つの上部フランジ２３の下面に重なるように枠体２１の内側に収容されている。天板２２の外周部の複数個所は、上部フランジ２３にねじを介して固定されている。上部フランジ２３および天板２２は、互いに協働して本体９の上面を構成している。このため、本体９は、下向きに開口された中空の箱状に形成されている。
【００２７】
図１に示すように、ファンユニット１０は、本体９に収容されている。ファンユニット１０は、ファンケーシング３０、モータ３１およびシロッコファン３２を主要な要素として備えている。ファンケーシング３０は、下向きに開口された円筒状の要素であって、枠体２１の内周面に支持されている。ファンケーシング３０は、枠体２１の排気孔２６に接続された図示しない吐出口を有している。
【００２８】
図１および図２に示すように、リング状のベルマウス３３がファンケーシング３０に支持されている。ベルマウス３３は、ファンケーシング３０の下端に嵌合されて、当該ファンケーシング３０の下端に下向きに開口された第１の吸込口３４を規定している。第１の吸込口３４は、天井３の換気口６と向かい合っている。
【００２９】
さらに、本実施形態のファンケーシング３０は、本体９の天板２２と向かい合う上面に第２の吸込口３５を有している。第２の吸込口３５は、本体９の内周面とファンケーシング３０の外周面との間の隙間３６を通じて天井３の換気口６に通じている。
【００３０】
図１および図５に示すように、モータ３１は、天板２２の中央部に複数のねじで固定されている。モータ３１の上半分は、天板２２に開口された通孔３８を貫通して本体９の上方に突出されている。モータ３１の下端部は、ファンケーシング３０の第２の吸込口３５を同軸状に貫通してファンケーシング３０の内側に入り込んでいる。モータ３１のトルクを出力する回転軸３９は、モータ３１の下面からファンケーシング３０の内側に向けて同軸状に突出されている。
【００３１】
シロッコファン３２は、ファンケーシング３０に収容されている。シロッコファン３２は、円盤状の支持部４１と、支持部４１の外周部に周方向に間隔を存して配列された複数の羽板４２と、を有する円筒状の要素である。支持部４１の上面の中央部には、回転軸３９の下端部が貫通するボス部４３が形成されている。
【００３２】
回転軸３９の下端部は、ボス部４３を貫通して支持部４１の下方に突出されている。スピナー４４が回転軸３９の下端部にねじ込まれている。このねじ込みにより、回転軸３９の下端部がシロッコファン３２のボス部４３に結合され、シロッコファン３２が回転軸３９と一体に回転するようになっている。
【００３３】
本体カバー１１は、天井３の換気口６を下方から覆う要素であって、枠体２１が有する下部フランジ２４に取り外し可能に支持されている。本体カバー１１は、換気口６の開口形状に沿う四角い化粧枠４６と、換気口６の真下に位置する複数のルーバー４７と、を有している。
【００３４】
図４に示すように、枠体２１の第１の側板２１ａが有する上部フランジ２３は、排気孔２６の上方に位置されている。一対の本体爪５０ａ，５０ｂが第１の側板２１ａの上部フランジ２３に形成されている。本体爪５０ａ，５０ｂは、例えば上部フランジ２３の長手方向に沿う両端部を上向きに直角に折り曲げることで構成され、本体９の上面から上向きに突出されている。さらに、本体爪５０ａ，５０ｂは、夫々第１の側板２１ａと直交する方向に延びているとともに、本体９の上方に進むに従い第１の側板２１ａと直交する方向の長さ寸法が次第に減少する先細り状に形成されている。
【００３５】
図２ないし図４に示すように、一対の第１の挿入孔５１ａ，５１ｂが第１の側板２１ａの下端と下部フランジ２４とで規定される角部に形成されている。第１の挿入孔５１ａ，５１ｂは、本体９の下端で下部フランジ２４の長手方向に互いに離れている。
【００３６】
図５および図６に示すように、一対の第２の挿入孔５２ａ，５２ｂが排気アダプタ８の片部１９に形成されている。第２の挿入孔５２ａ，５２ｂは、本体爪５０ａ，５０ｂが挿入される要素であって、夫々ベース１４と直交する方向に延びる細長い開口形状を有している。
【００３７】
加えて、排気アダプタ８のベース１４の下縁に、一対のアダプタ爪５３ａ，５３ｂが形成されている。アダプタ爪５３ａ，５３ｂは、本体９の第１の挿入孔５１ａ，５１ｂに挿入される要素であって、ベース１４の下縁の長手方向に互いに離れている。ベース１４の下縁に位置する第２のフランジ部１８ｂは、アダプタ爪５３ａ，５３ｂの間に位置されている。
【００３８】
本実施形態によると、アダプタ爪５３ａ，５３ｂは、枠体２１の第１の側板２１ａに面するような向きでベース１４の下縁から下向きに突出されている。さらに、図６に最もよく示されるように、アダプタ爪５３ａ，５３ｂは、排気アダプタ８の下方に進むに従い枠体２１の第１の側板２１ａに近づくように傾斜されている。
【００３９】
このため、アダプタ爪５３ａ，５３ｂは、夫々ベース１４の下縁に隣接した箇所に折り曲げ予定線５４を有している。折り曲げ予定線５４は、ベース１４の下縁に沿って水平方向に延びている。
【００４０】
加えて、本実施形態によると、アダプタ爪５３ａ，５３ｂは、作業者が手の指先を押し付けることができる十分な大きさおよび形状を有しており、専用の工具を用いることなく人為的に折り曲げが可能となっている。
【００４１】
次に、ダクト用換気扇１を浴室２の天井裏１２に据え付ける手順について説明する。
【００４２】
最初に天井３の換気口６から排気アダプタ８を天井裏１２に挿入し、排気アダプタ８のダクト接続口１５に予め天井裏１２に配管された排気ダクト１３を接続する。引き続いて、排気アダプタ８のベース１４の下端に位置された第２のフランジ部１８ｂを、換気口６に臨む一つの野縁５の下面に突き合わせてねじで固定する。これにより、排気ダクト１３が接続された排気アダプタ８は、換気口６の一つの開口縁から天井裏１２に向けて起立した姿勢に保持される。
【００４３】
この後、本体９を天井３の換気口６に挿入する。この際、本体９は、第１の側板２１ａと第２の側板２１ｂとで規定される角部を排気アダプタ８の第３のフランジ部１８ｃに接触させるとともに、第１の側板２１ａと第４の側板２１ｄとで規定される角部を排気アダプタ８の第４のフランジ部１８ｄに接触させた状態で天井裏１２に向けて押し上げる。
【００４４】
これにより、本体９が排気アダプタ８の第３のフランジ部１８ｃと第４のフランジ部１８ｄとの間に介在され、排気アダプタ８の幅方向に対する本体９の位置合わせが実行される。
【００４５】
換気口６に挿入された本体９を天井裏１２に向けて押し上げていくと、本体９の上面に位置する本体爪５０ａ，５０ｂが排気アダプタ８の第２の挿入孔５２ａ，５２ｂに挿入されるとともに、第１の側板２１ａの上部フランジ部２３が排気アダプタ８の片部１９に重なり合う。
【００４６】
さらに、排気アダプタ８の下端から突出されたアダプタ爪５３ａ，５３ｂの下端が本体９の第１の挿入孔５１ａ，５１ｂに挿入されるとともに、第１の側板２１ａの下部フランジ２４が排気アダプタ８の第２のフランジ部１８ｂに重なり合う。
【００４７】
この結果、排気アダプタ８の連通口１６と本体９の排気孔２６とが合致するように、本体９の第１の側板２１ａが排気アダプタ８のベース１４と向かい合う。
【００４８】
図２、図３および図７に示すように、第１の側板２１ａの下部フランジ２４が排気アダプタ８の第２のフランジ部１８ｂに重なり合った状態では、排気アダプタ８のアダプタ爪５３ａ，５３ｂが本体９の第１の挿入孔５１ａ，５１ｂを貫通して第１の側板２１ａの下部フランジ２４の下方に向けて突出する。
【００４９】
この状態で、作業者がアダプタ爪５３ａ，５３ｂに手の指先を添えて当該アダプタ爪５３ａ，５３ｂを第１の側板２１ａの下部フランジ２４に向けて押圧する。この押圧により、図２、図３および図８に矢印で示すように、アダプタ爪５３ａ，５３ｂが折り曲げ予定線５４の箇所で上向きに折り返され、アダプタ爪５３ａ，５３ｂがアダプタ受け部としての下部フランジ２４に沿うような形態に塑性変形される。
【００５０】
この結果、図８に示すように、アダプタ爪５３ａ，５３ｂが下部フランジ２４に対し下から係合し、本体９が換気口６から落下したり、換気口６の内側でがたつくことがないように、当該本体９が排気アダプタ８に仮固定される。
【００５１】
引き続いて、換気口６に対する本体９の位置を微調整した後、本体９の下端に位置された複数の下部フランジ２４を、換気口６に臨む野縁５の下面に突き合わせてねじで固定する。これにより、排気アダプタ８と本体９とが互いに連結された状態で天井裏１２に固定される。
【００５２】
最後に、本体カバー１１を本体９の下部フランジ２４に取り付け、当該本体カバー１１で換気口６を覆い隠すことで、浴室２の天井３に対するダクト用換気扇１の据え付け作業が完了する。
【００５３】
ダクト用換気扇１が天井裏１２に据え付けられた状態において、モータ３１によりシロッコファン３２が回転されると、浴室２内の空気が本体カバー１１のルーバー４７の間を通じて換気口６に吸い込まれる。
【００５４】
換気口６に吸い込まれた空気の一部は、図１に矢印Ａで示すように、ベルマウス３３の第１の吸込口３４を通じてシロッコファン３２の下端に導かれる。換気口６に吸い込まれた残りの空気は、図１に矢印Ｂで示すように、本体９の内周面とファンケーシング３０の外周面との間の隙間３６を通ってファンケーシング３０の上部に至るとともに、ファンケーシング３０の上面に位置する第２の吸込口３５を通じてシロッコファン３２の上端に導かれる。
【００５５】
シロッコファン３２の下端および上端からシロッコファン３２の内部に吸い込まれた空気は、羽板４２の間を通じてシロッコファン３２の周囲に吐出されるとともに、ファンケーシング３０の吐出口、本体９の排気孔２６、排気アダプタ８の連通口１６およびダクト接続口１５を経て排気ダクト１３に導かれる。
【００５６】
第１の実施形態によれば、天井３の換気口６に挿入された本体９を天井裏１２に押し上げると、本体９の上面に位置する本体爪５０ａ，５０ｂが排気アダプタ８の第２の挿入孔５２ａ，５２ｂに挿入される。それとともに、排気アダプタ８の下端に位置するアダプタ爪５３ａ，５３ｂが本体９の第１の挿入孔５１ａ，５１ｂに挿入される。これにより、排気アダプタ８と本体９との間の相対的な位置合わせが実行される。
【００５７】
したがって、排気アダプタ８および本体９には、単に爪と孔を設けるだけでよく、排気アダプタ８および本体９の構成を簡素化することができる。
【００５８】
さらに、排気アダプタ８のアダプタ爪５３ａ，５３ｂは、作業者が手の指先を押し付けることができる十分な大きさおよび形状を有している。このため、第１の挿入孔５１ａ，５１ｂを貫通して本体９の下方に突出されたアダプタ爪５３ａ，５３ｂを、本体９の下部フランジ２４に係合するように手作業で容易に塑性変形させることができる。
【００５９】
したがって、格別なねじや工具を用いることなく、互いに位置合わせされた排気アダプタ８と本体９とを簡単に仮固定することができる。よって、ダクト用換気扇１を天井裏１２に据え付ける際の作業性を改善することができ、施工時のコストの低減に寄与するといった利点がある。
【００６０】
本実施形態によると、排気アダプタ８のアダプタ爪５３ａ，５３ｂは、本体９の第１の側板２１ａに面するような向きでベース１４の下端から突出されている。このため、アダプタ爪５３ａ，５３ｂを下部フランジ２４に係合させる際には、ベース１４の下縁に沿って横方向に延びる折り曲げ予定線５４に沿ってアダプタ爪５３ａ，５３ｂを折り曲げればよく、アダプタ爪５３ａ，５３ｂを少ない力で簡単に塑性変形させることができる。
【００６１】
さらに、アダプタ爪５３ａ，５３ｂを第１の挿入孔５１ａ，５１ｂに挿入する段階では、アダプタ爪５３ａ，５３ｂは、下方に進むに従い本体９の第１の側板２１ａに近づく方向に傾斜された姿勢を維持している。このため、本体９を換気口６に挿入して押し上げる時に、アダプタ爪５３ａ，５３ｂの下端が第１の挿入孔５１ａ，５１ｂを指向するような形態となる。
【００６２】
したがって、アダプタ爪５３ａ，５３ｂを第１の挿入孔５１ａ，５１ｂに対し容易に差し込むことができ、排気アダプタ８に本体９を仮固定する際の作業性が格段に向上する。
【００６３】
加えて、第１の実施形態によると、第１の側板２１ａの上部フランジ２３から上向きに折り返された本体爪５０ａ，５０ｂは、本体９の第１の側板２１ａと直交する方向に延びている。言い換えると、本体爪５０ａ，５０ｂは、排気アダプタ８のベース１４に面しておらず、ベース１４に対し直交する向きで本体９の上面から突出されている。
【００６４】
この構成によれば、本体９の本体爪５０ａ，５０ｂを排気アダプタ８の第２の挿入孔５２ａ，５２ｂに挿入した状態において、例えば本体９を排気アダプタ８から引き離そうとする方向の外力が本体９に加わった場合、外力は本体爪５０ａ，５０ｂの折り返し方向と直交する方向に沿って本体爪５０ａ，５０ｂに伝わる。
【００６５】
一方、例えば本体爪５０ａ，５０ｂが排気アダプタ８のベース１４と平行となる向きで本体９の上面から起立していたと仮定すると、本体９を排気アダプタ８から引き離そうとする方向の外力は、本体爪５０ａ，５０ｂを倒そうとする方向の力となって本体爪５０ａ，５０ｂに伝わる。この結果、本体爪５０ａ，５０ｂが容易に倒れるのを避けられず、本体９が排気アダプタ８に対し傾いてしまう。
【００６６】
これに対し、第１の実施形態では、本体爪５０ａ，５０ｂは、本体９を排気アダプタ８から引き離そうとする方向の外力を本体爪５０ａ，５０ｂの折り返し方向とは直交する方向の力として受け止めるので、本体爪５０ａ，５０ｂは、外力に屈することなく起立した状態を維持する。この結果、本体爪５０ａ，５０ｂが倒れ難くなり、本体９の傾きを防止できる。
【００６７】
さらに、第１の実施形態では、本体爪５０ａ，５０ｂは、上方に進むに従い先細り状に形成されているので、換気口６に挿入された本体９を押し上げた時に、本体爪５０ａ，５０ｂの先端が第２の挿入孔５２ａ，５２ｂに入り込み易くなる。したがって、排気アダプタ８と本体９との位置合わせ作業を容易に行なうことができる。
【００６８】
［第２の実施形態］
図９は、第２の実施形態を開示している。
【００６９】
第２の実施形態に係るダクト用換気扇１は、排気アダプタ８の他に吸気アダプタ６０を有する点が前記第１の実施形態と相違している。これ以外のダクト用換気扇１の構成は、基本的に第１の実施形態と同様である。そのため、第２の実施形態において、第１の実施形態と同一の構成部分には同一の参照符号を付して、その説明を省略する。
【００７０】
図９に示すように、吸気アダプタ６０は、ベース６１と、天井裏１２に配管された吸気ダクト６２が接続される筒状のダクト接続口６３と、を有している。
【００７１】
ベース６１は、例えば板金プレス加工が可能な鋼板で構成され、排気アダプタ８と向かい合うように換気口６の他の開口縁から天井裏１２に向けて起立されている。ベース６１の中央部には、連通口６４が形成されている。ダクト接続口６３は、連通口６４を取り囲むようにベース６１の前面から本体９の反対側に向けて突出されている。
【００７２】
ベース６１は、横向きに水平に延びた上縁および下縁と、鉛直方向に延びた一対の側縁を有する四角い板状に形成されている。さらに、ベース６１は、第１のフランジ部６５ａおよび第２のフランジ部６５ｂを有している。
【００７３】
第１のフランジ部６５ａは、ベース６１の上縁からダクト接続口６３とは反対側に向けて直角に折り返されている。第１のフランジ部６５ａは、ベース６１の上縁の全長に亘っている。第２のフランジ部６５ｂは、ベース６１の下縁からダクト接続口６３の突出方向に沿うように直角に折り返されている。第２のフランジ部６５ｂは、ベース６１の下縁の中央部に位置されている。
【００７４】
連通口６４の上部は、ベース６１の中央部を切り起こすことで構成されている。ベース６１から切り起こされた片部６６は、連通口６４の上縁からダクト接続口６３とは反対側に向けて直角に折り返されている。
【００７５】
図９に示すように、本体９を構成する枠体２１の第３の側板２１ｃは、吸気アダプタ６０のベース６１と向かい合っている。第３の側板２１ｃには、吸気孔６７が形成されている。吸気孔６７は、通気孔の一例であって、本体９の内周面とファンケーシング３０との間の隙間３６に開口されている。さらに、吸気孔６７は、ベース６１の連通口６４を通じてダクト接続口６３に連通される。
【００７６】
第３の側板２１ｃの上端に位置する上部フランジ２３は、吸気アダプタ６０の片部６６の下面に重なり合う。さらに、第３の側板２１ｃの下端に位置する下部フランジ２４は、吸気アダプタ６０のベース６１を受け止めるアダプタ受け部としての機能を兼ねている。そのため、ベース６１の下端に位置された第２のフランジ部６５ｂは、下部フランジ２４の上に重なり合う。
【００７７】
一対の他の本体爪７０ａ，７０ｂが第３の側板２１ｃの上部フランジ２３に形成されている。本体爪７０ａ，７０ｂは、例えば上部フランジ２３の長手方向に離間した二箇所を上向きに切り起こすことで構成され、本体９の上面から上向きに突出されている。さらに、本体爪７０ａ，７０ｂは、第３の側板２１ｃと直交する方向に延びているとともに、本体９の上方に進むに従い第３の側板２１ｃと直交する方向の長さ寸法が次第に減少する先細り状に形成されている。
【００７８】
さらに、本実施形態によると、第１の側板２１ｃの上部フランジ２３に形成された本体爪５０ａ，５０ｂの長さ寸法をＬ１とし、第３の側板２１ｃの上部フランジ２３に形成された他の本体爪７０ａ，７０ｂの長さ寸法をＬ２とした時、Ｌ２がＬ１よりも短く形成されている。言い換えると、本体爪７０ａ，７０ｂは、本体爪５０ａ，５０ｂよりも小さな形状を有している。
【００７９】
図９に示すように、一対の第３の挿入孔７１ａ，７１ｂが吸気アダプタ６０の片部６６に形成されている。第３の挿入孔７１ａ，７１ｂは、他の本体爪７０ａ，７０ｂが挿入される要素であって、夫々吸気アダプタ６０のベース６１と直交する方向に延びる細長い開口形状を有している。
【００８０】
一対の第１の挿入孔７２ａ，７２ｂが第３の側板２１ｃの下端と下部フランジ２４とで規定される角部に形成されている。第１の挿入孔７２ａ，７２ｂは、下部フランジ２４の長手方向に互いに離れている。
【００８１】
吸気アダプタ６０のベース６１の下縁に一対のアダプタ爪７３ａ，７３ｂが形成されている。アダプタ爪７３ａ，７３ｂは、本体９の第１の挿入孔７２ａ，７２ｂに挿入される要素であって、ベース６１の下縁の長手方向に互いに離れている。ベース６１の下縁に位置する第２のフランジ部６５ｂは、アダプタ爪７３ａ，７３ｂの間に位置されている。
【００８２】
さらに、アダプタ爪７３ａ，７３ｂは、枠体２１の第３の側板２１ｃに面するような向きでベース６１の下縁から下向きに突出されている。それとともに、アダプタ爪７３ａ，７３ｂは、吸気アダプタ６０の下方に進むに従い枠体２１の第３の側板２１ｃに近づくように傾斜されている。
【００８３】
加えて、アダプタ爪７３ａ，７３ｂは、排気アダプタ８のアダプタ爪５０ａ，５０ｂと同様に、専用の工具を用いることなく人為的に折り曲げが可能な大きさおよび形状を有している。
【００８４】
本実施形態によると、ファンユニット１０は、モータ３１の運転を制御する電装ボックス７５を備えている。電装ボックス７５は、モータ３１と隣り合うように本体９の上面に取り付けられている。複数のケーブル７６が電装ボックス７５に接続されている。ケーブル７６は、一本の保護チューブ７７に挿通されることで一つに束ねられているとともに、電装ボックス７５の側面から第３の側板２１ｃの方向に引き出されている。
【００８５】
さらに、保護チューブ７７で束ねられたケーブル７６は、本体９の上面の上で電装ボックス７５の側面と他のアダプタ爪７３ｂとの間スペース、およびモータ３１と他のアダプタ爪７３ａとの間のスペースを通して引き回されているとともに、ケーブルクランプ７８を介して本体９の上面に保持されている。
【００８６】
第２の実施形態によると、本体９は、排気アダプタ８および吸気アダプタ６０を天井裏１２に配置した状態で、換気口６から天井裏１２に押し上げられる。この際、吸気ダクト６２が接続された吸気アダプタ６０は、天井裏１２で自由に動き得る状態にあり、当該吸気アダプタ６０に本体９を仮固定した後、本体９が排気アダプタ８に仮固定される。
【００８７】
具体的に述べると、吸気アダプタ６０の箇所では、本体９の上面から突出された本体爪７０ａ，７０ｂが吸気アダプタ６０の第３の挿入孔７１ａ，７１ｂに挿入されるとともに、第３の側板２１ｃの上部フランジ２３が吸気アダプタ６０の片部６６に重なり合う。
【００８８】
さらに、吸気アダプタ６０の下端から突出されたアダプタ爪７３ａ，７３ｂが本体９の第１の挿入孔７２ａ，７２ｂに挿入されるとともに、第３の側板２１ｃの下部フランジ２４が吸気アダプタ６０の第２のフランジ部６５ｂに重なり合う。これにより、吸気アダプタ６０の連通口６４と本体９の吸気孔６７とが合致するように、本体９の第３の側板２１ｃが吸気アダプタ６０のベース６１と向かい合う。
【００８９】
第３の側板２１ｃの下部フランジ２４が吸気アダプタ６０の第２のフランジ部６５ｂに重なり合った状態では、吸気アダプタ６０のアダプタ爪７３ａ，７３ｂが本体９の第１の挿入孔７２ａ，７２ｂを貫通して第３の側板２１ｃの下部フランジ２４の下方に突出する。
【００９０】
そのため、前記第１の実施形態と同様に、作業者がアダプタ爪７３ａ，７３ｂを下部フランジ２４に向けて押圧すれば、アダプタ爪７３ａ，７３ｂが下部フランジ２４に沿うように塑性変形される。この結果、アダプタ爪７３ａ，７３ｂが下部フランジ２４に係合され、本体９が吸気アダプタ６０に仮固定される。
【００９１】
吸気アダプタ６０に対する本体９の仮固定が完了したら、前記第１の実施形態と同様の手順で本体９を排気アダプタ８に仮固定する。
【００９２】
第２の実施形態によると、排気アダプタ８の他に吸気アダプタ６０を有するダクト用換気扇１においても、格別なねじや工具類を用いることなく、換気口６に挿入された本体９を天井裏１２で排気アダプタ８および吸気アダプタ６０に仮固定することができる。したがって、ダクト用換気扇１を天井裏１２に据え付ける際の作業性が向上する。
【００９３】
さらに、吸気アダプタ６０の第３の挿入孔７１ａ，７１ｂに挿入される本体爪７０ａ，７０ｂの長さ寸法Ｌ２は、排気アダプタ８に対応する本体爪５０ａ，５０ｂの長さ寸法Ｌ１よりも短く形成されている。
【００９４】
この結果、本体９の上面にモータ３１、電装ボックス７５および本体爪５０ａ，５０ｂ，７０ａ，７０ｂが互いに隣り合うように位置するにも拘らず、モータ３１と本体爪７０ａおよび電装ボックス７５と本体爪７０ｂとの間に十分なスペースを確保できる。したがって、当該スペースを利用してケーブル７６を束ねた保護チューブ７７を容易に引き回すことができる。
【００９５】
さらに、本体爪７０ａ，７０ｂが小さいので、保護チューブ７７と本体爪７０ａ，７０ｂとの干渉を回避でき、本体９の上面の上に保護チューブ７７を引き回す作業を容易に行なうことができる。
【００９６】
［第３の実施形態］
図１０および図１１は、第３の実施形態を開示している。
【００９７】
第３の実施形態に係るダクト用換気扇１は、排気アダプタ８の他に三本の吸気ダクト６２が接続される第１ないし第３の吸気アダプタ８０ａ，８０ｂ，８０ｃを有する点が前記第２の実施形態と相違している。これ以外のダクト用換気扇１の構成は、基本的に第２の実施形態と同様である。
【００９８】
具体的に述べると、本体９を構成する枠体２１の第２ないし第４の側板２１ｂ，２１ｃ，２１ｄには、夫々吸気孔８１が形成されている。吸気孔８１は、通気孔の一例であって、本体９の内周面とファンケーシング３０との間の隙間３６に開口されている。本実施形態では、第１の側板２１ａの上部フランジ２３が有する一対の本体爪５０ａ，５０ｂは、上部フランジ２３の長手方向に離間した二箇所を上向きに切り起こすことで構成されている。
【００９９】
図１０および図１１に示すように、第１ないし第３の吸気アダプタ８０ａ，８０ｂ，８０ｃは、天井裏１２で本体９の第２の側板２１ｂ、第３の側板２１ｃおよび第４の側板２１ｄの周囲に位置されている。
【０１００】
第１ないし第３の吸気アダプタ８０ａ，８０ｂ，８０ｃは、互いに共通の構成を有するので、第１の吸気アダプタ８０ａを代表して説明する。加えて、第１の吸気アダプタ８０ａは、以下の構成を除き前記第２の実施形態の吸気アダプタ６０と同様の構成を有するため、当該吸気アダプタ６０と同一の構成部分には同一の参照符号を付して、その説明を省略する。
【０１０１】
図１０に示すように、一対の第３の挿入孔８２ａ，８２ｂが第１の吸気アダプタ８０ａのベース６１の上縁に位置する第１のフランジ部６５ａに形成されている。第３の挿入孔８２ａ，８２ｂは、第２の側板２１ｂの上部フランジ２３から突出された本体爪７０ａ，７０ｂが挿入される要素であって、本体爪７０ａ，７０ｂに対応するように第１のフランジ部６５ａの長手方向に互いに離れている。
【０１０２】
本実施形態では、本体爪７０ａ，７０ｂは、枠体２１の第３の側板２１ｃの上部フランジ２３および第４の側板２１ｄの上部フランジ２３にも同様に形成されている。
【０１０３】
一対の第１の挿入孔８３ａ，８３ｂが第２ないし第４の側板２１ｂ，２１ｃ，２１ｄの下端と下部フランジ２４とで規定される角部に形成されている。第１の挿入孔８３ａ，８３ｂは、第１ないし第３の吸気アダプタ８０ａ，８０ｂ，８０ｃのアダプタ爪７３ａ，７３ｂが挿入される要素であって、アダプタ爪７３ａ，７３ｂに対応するように下部フランジ２４の長手方向に互いに離れている。
【０１０４】
第３の実施形態によると、本体９は、排気アダプタ８および第１ないし第３の吸気アダプタ８０ａ，８０ｂ，８０ｃを天井裏１２に配置した状態で、換気口６から天井裏１２に押し上げられる。この際、吸気ダクト６２が接続された第１ないし第３の吸気アダプタ８０ａ，８０ｂ，８０ｃは、天井裏１２で自由に動き得る状態に保たれている。本体９は、第１ないし第３の吸気アダプタ８０ａ，８０ｂ，８０ｃに仮固定した後、排気アダプタ８に仮固定される。
【０１０５】
具体的には、第１の吸気アダプタ８０ａの箇所では、本体９の上面から突出された本体爪７０ａ，７０ｂが第１の吸気アダプタ８０ａの第３の挿入孔８２ａ，８２ｂに挿入されるとともに、第２の側板２１ｂの上部フランジ２３が第１の吸気アダプタ８０ａの第１のフランジ部６５ａに重なり合う。
【０１０６】
さらに、第１の吸気アダプタ８０ａの下端から突出されたアダプタ爪７３ａ，７３ｂが本体９の第１の挿入孔８３ａ，８３ｂに挿入されるとともに、第２の側板２１ｂの下部フランジ２４が第１の吸気アダプタ８０ａの第２のフランジ部６５ｂに重なり合う。これにより、第１の吸気アダプタ８０ａの連通口６４と本体９の吸気孔８１とが合致するように、本体９の第２の側板８１ｂが第１の吸気アダプタ８０ａのベース６１と向かい合う。
【０１０７】
第２の側板２１ｂの下部フランジ２４が第１の吸気アダプタ８０ａの第２のフランジ部６５ｂに重なり合った状態では、第１の吸気アダプタ８０ａのアダプタ爪７３ａ，７３ｂが本体９の第１の挿入孔８３ａ，８３ｂを貫通して第２の側板２１ｂの下部フランジ２４の下方に突出する。
【０１０８】
そのため、前記第１の実施形態と同様に、作業者がアダプタ爪７３ａ，７３ｂを下部フランジ２４に向けて折り返せば、アダプタ爪７３ａ，７３ｂが下部フランジ２４に沿うように塑性変形される。この結果、アダプタ爪７３ａ，７３ｂが下部フランジ２４に係合され、本体９が第１の吸気アダプタ８０ａに仮固定される。
【０１０９】
第２の吸気アダプタ８０ｂおよび第３の吸気アダプタ８０ｃに対しても同様の作業を繰り返すことで、本体９が第２の吸気アダプタ８０ｂおよび第３の吸気アダプタ８０ｃに仮固定される。
【０１１０】
第１ないし第３の吸気アダプタ８０ａ，８０ｂ，８０ｃに対する本体９の仮固定が完了したら、前記第１の実施形態と同様の手順で本体９を排気アダプタ８に仮固定する。
【０１１１】
第３の実施形態によると、排気アダプタ８の他に第１ないし第３の吸気アダプタ８０ａ，８０ｂ，８０ｃを有するダクト用換気扇１においても、格別なねじや工具類を用いることなく、換気口６に挿入された本体９を天井裏１２で排気アダプタ８および第１ないし第３の吸気アダプタ８０ａ，８０ｂ，８０ｃに仮固定することができ、ダクト用換気扇１を天井裏１２に据え付ける際の作業性が向上する。
【０１１２】
［第４の実施形態］
図１２は、第４の実施形態を開示している。
【０１１３】
第４の実施形態に係るダクト用換気扇１は、前記第２の実施形態のダクト用換気扇１と関連性を有している。
【０１１４】
図１２に示すように、本体９の第１の側板２１ａは、一対の係合孔９０（一方のみを図示）を有している。係合孔９０は、第１の側板２１ａの左右の側縁と隣り合うとともに、本体爪５０ａ，５０ｂと第１の挿入孔５１ａ，５１ｂとの間の中間部に位置されている。
【０１１５】
排気アダプタ８のベース１４は、一対の係合爪９１（一方のみを図示）を有している。係合爪９１は、換気口６に挿入した本体９を天井裏１２に向けて押し上げた時に、本体９の係合孔９０に係合される要素であって、ベース１４から本体９の第１の側板２１ａの方向に張り出すとともに、ベース１４の下方に突出するような向きで切り起こされている。さらに、係合爪９１は、連通口１６を間に挟んだ両側に設けられている。
【０１１６】
第４の実施形態では、本体９を換気口６から天井裏１２に押し上げていくと、係合爪９１が係合孔９０に入り込むように係合する。係合爪９１が係合孔９０に係合された状態では、本体爪５０ａ，５０ｂが第２の挿入孔５２ａ，５２ｂと合致するように本体９と排気アダプタ８との間の位置合わせが実行される。
【０１１７】
第４の実施形態によると、ダクト用換気扇１の据え付け時に、第２の挿入孔５２ａ，５２ｂに対する本体爪５０ａ，５０ｂの挿入作業は天井裏１２で行われるので、第２の挿入孔５２ａ，５２ｂおよび本体爪５０ａ，５０ｂが本体９によって遮られてしまう。そのため、第２の挿入孔５２ａ，５２ｂと本体爪５０ａ，５０ｂとの間の位置関係を換気口６を通じて目視し難くなる。
【０１１８】
しかるに、第４の実施形態では、本体９の係合孔９０は、本体爪５０ａ，５０ｂよりも下方に位置する第１の側板２１ａに開口されているので、係合爪９１が係合孔９０に係合されたか否かを換気口６を通して目視し易くなる。
【０１１９】
しかも、係合爪９１が係合孔９０に係合された状態では、本体爪５０ａ，５０ｂが第２の挿入孔５２ａ，５２ｂと合致するように、係合爪９１および係合孔９０の相互の位置が規定されているので、本体爪５０ａ，５０ｂを第２の挿入孔５２ａ，５２ｂに確実に導くことができる。
【０１２０】
この結果、本体９を排気アダプタ８に容易に仮固定することができ、ダクト用換気扇１を天井裏１２に据え付ける際の作業性が向上する。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２２】
例えば、ファンユニットを収容する本体は、中空の四角い箱形に特定されるものではなく、周面の少なくとも一部が円弧状に湾曲された中空の筒状であってもよい。
【０１２３】
さらに、送風装置は、浴室用の換気扇に限らず、室内に外気を取り入れる用途に用いてもよい。
【符号の説明】
【０１２４】
３…天井、６…開口部（換気口）、８，６０，８０ａ，８０ｂ，８０ｃ…アダプタ（排気アダプタ、吸気アダプタ）、９…本体、１０…ファンユニット、１２…天井裏、１３，６２…ダクト（排気ダクト、吸気ダクト）、２６、６７…通気孔（排気孔、吸気孔）、５０ａ，５０ｂ，７０ａ，７０ｂ…本体爪、５１ａ，５１ｂ，７２ａ，７２ｂ，８３ａ，８３ｂ…第１の挿入孔、５２ａ，５２ｂ…第２の挿入孔、５３ａ，５３ｂ，７３ａ，７３ｂ…アダプタ爪、７１ａ，７１ｂ，８２ａ，８２ｂ…第３の挿入孔、７５…電装ボックス、７６…ケーブル。
【図１】
2018204822.tif 000003
【図２】
2018204822.tif 000004
【図３】
2018204822.tif 000005
【図４】
2018204822.tif 000006
【図５】
2018204822.tif 000007
【図６】
2018204822.tif 000008
【図７】
2018204822.tif 000009
【図８】
2018204822.tif 000010
【図９】
2018204822.tif 000011
【図１０】
2018204822.tif 000012
【図１１】
2018204822.tif 000013
【図１２】
2018204822.tif 000014